(57)【要約】      （修正有）【課題】農業用温風ボイラーの排ガス熱を農業用ハウスの保温に利用することができる熱交換器を提供する。【解決手段】温風ボイラーの煙突内のステンレス製螺旋状管１に、ハウス内の冷めた空気を送るダクト３を接合して、送風器２によってハウス内の空気を送り込み、煙突内の排気熱をステンレス製螺旋状管１を介して接触させて、より高温な空気とする。その高温な空気は、高温の空気を搬送するダクト４より高温の空気の吹き出し口６に搬送されて、その結果、高温な空気が温風ボイラーの空気吸入口７より燃焼室に吸入されるので、より効率的な温風ボイラーの燃焼が実現でき、温風ボイラーの吹き出し口８よりハウス内へ高温な空気が放出される。【選択図】図１
0003162165.tif 000002
【実用新案登録請求の範囲】
【請求項１】
温風ボイラーの煙突内にステンレス製の螺旋状管を付設することにより、ハウス内の空気を送風器によって搬送させ、煙突内を通過する排気熱エネルギーとの接触度を高めることによって、より高温な空気（螺旋管を通過した空気温度は温度計によって計測される）を得ることが出来る。その高温となった空気を温風ボイラーの空気吸入口まで搬送し、ボイラー内の燃焼室に送り込むことによってボイラー内の熱効率を上げることを特徴とする熱交換器である。
【請求項２】
空気を送る送風器は、温風ボイラーの吸入口ファンのスイッチと連動させているので、温風ボイラーのバーナーの燃焼が終了しても、燃焼室等の保冷の為にファンが回るので、煙突内の螺旋状管に残留している高温な空気を効率良く取り出せることを特徴とする熱交換器である。
【請求項３】
温風ボイラーの螺旋状管に熱伝導用の水を使用していないので、管に付着する水分の結露が発生しないので、水滴のボイラー内への進入がないので、燃焼釜への低温腐問題の心配が発生しないことを特徴とする熱交換器である。
【考案の詳細な説明】
【技術分野】
【０００１】この考案は、加温した空気を温風ボイラー内に送りこむことにより、温風ボイラー機内の燃焼温度を、より効率よく向上させる熱交換器である。【０００２】従来の温風機は、重油、木質ペレット、木材などの燃焼熱が利用されていて、そこで発生する排気熱は煙突を通って外気に放出されていた。近年、その排ガス熱をオイル、水に接触させることによって回収する方法の補助熱交換器が提案されている。
【参考文献】
実用願２００８−８３３６
【考案が解決しようとする課題】
【０００３】前述の排熱利用の提案には、高額な設備導入費、燃焼釜の低温腐食問題の心配がある。
【課題を解決する手段】
【０００４】この考案は、煙突内に付設した螺旋状管に空気を送りこむことにより、前述の問題点を解決できる。
【考案を実施するための最良の形態】この考案を図１について説明すると温風ボイラーの煙突内のステンレス製螺旋状管（１）に、ハウス内の冷めた空気を送るダクト（３）を接合して、送風器（２）によってハウス内の空気を送り込み、煙突内の排気熱をステンレス製螺旋状管（１）を介して接触させて、より高温な空気とする。その高温な空気は、高温の空気を搬送するダクト（４）より高温の空気の吹き出し口（６）に搬送されて、その結果、高温な空気が温風ボイラーの空気吸入口（７）より燃焼室に吸入されるので、より効率的な温風ボイラーの燃焼が実現でき、温風ボイラーの吹き出し口（８）よりハウス内へ高温な空気が放出される。
【符号の説明】１．ステンレス製螺旋状管
２．送風器
３．ハウス内の冷めた空気を送るダクト
４．高温の空気を搬送するダクト
５．温度計
６．高温の空気の吹き出し口
７．温風ボイラーの空気吸入口
８．温風ボイラーの吹き出し口
【図１】
0003162165.tif 000003
【手続補正書】
【提出日】平成22年3月29日(2010.3.29)
【手続補正１】
【補正対象書類名】実用新案登録請求の範囲
【補正対象項目名】全文
【補正方法】変更
【補正の内容】
【実用新案登録請求の範囲】
【請求項１】
農業用ハウスを温風で加温する場合、ボイラーの煙突内に付設した鋼鉄製の螺旋状管と空気を搬送させるための送風器とそれぞれを連結するダクトによって、熱効率を高めることを特徴とする補助熱交換器。
【請求項２】
空気を搬送させるための送風器は、ボイラーの吸入口ファンのスイッチと連動させることを特徴とする請求項１に記載の補助熱交換器。
【請求項３】
補助熱交換器内の熱伝導媒体として空気を利用することを特徴とする請求項１に記載の補助熱交換器。
【手続補正２】
【補正対象書類名】明細書
【補正対象項目名】全文
【補正方法】変更
【補正の内容】
【考案の詳細な説明】
【技術分野】
【０００１】この考案は、加温した空気を温風ボイラー内に送りこむことにより、温風ボイラー機内の燃焼温度を、より効率よく向上させる補助熱交換器である。【０００２】従来の温風機は、重油、木質ペレット、木材などの燃焼熱が利用されていて、そこで発生する排気熱は煙突を通って外気に放出されていた。近年、その排ガス熱をオイルや水の熱伝導媒体で回収する方法の補助熱交換器が提案されている。
【参考文献】
実用願２００８−８３３６
【考案が解決しようとする課題】
【０００３】前述の排熱利用の提案には、高額な設備導入費や、水を熱伝導媒体とすることによって生じる管に付着する結露水が燃焼釜に入り込み、釜の低温腐食が発生する心配ある。
【課題を解決する手段】
【０００４】この考案は、煙突内に付設した螺旋状管に空気を送り込むことにより、前述の問題点を解決できる。
【考案を実施するための最良の形態】この考案を図１について説明すると、温風ボイラーの煙突内の鋼鉄製螺旋状管（１）に、ハウス内の冷めた空気を送るダクト（３）を接合して、送風器（２）によってハウス内の空気を送り込み、煙突内の排気熱を鋼鉄製螺旋状管（１）を介して接触させれば高温な空気となる。その空気は、搬送ダクト（４）を通して温度計（５）の付いた吹き出し口（６）に搬送され、温風ボイラーの空気吸入口（７）より燃焼室に吸入される。一般的な温風ボイラーは燃焼が終わっても機内の冷却のため、温風ボイラーの空気吸入口（７）のファンのスイッチは数分間オン状態になっているので、送風器（２）と連動させて、煙突内の鋼鉄製螺旋状管（１）内の残留している高温空気を抜き取ることができ、高温な空気が温風ボイラーの空気吸入口（７）より燃焼室に吸入されるので、より効率的な温風ボイラーの燃焼が実現でき、その結果、温風ボイラーの吹き出し口（８）よりハウス内へ高温な空気が放出される。
【図面の簡単な説明】
【図１】温風ボイラーに補助熱交換器を取り付けた断面図
【符号の説明】１．鋼鉄製螺旋状管
２．送風器
３．ハウス内の冷めた空気を送るダクト
４．高温の空気を搬送するダクト
５．温度計
６．吹き出し口
７．温風ボイラーの空気吸入口
８．温風ボイラーの吹き出し口
【手続補正書】
【提出日】平成22年6月3日(2010.6.3)
【手続補正１】
【補正対象書類名】実用新案登録請求の範囲
【補正対象項目名】全文
【補正方法】変更
【補正の内容】
【実用新案登録請求の範囲】
【請求項１】
ハウス内へ高温の空気を放出する農業用温風ボイラーの煙突内に設置するための螺旋状管と、前記ハウス内の冷めた空気を前記螺旋状管に送るためのダクトと、前記ダクトに設けられた送風機と、前記螺旋状管において生じる高温の空気を搬送するダクトとを有する熱交換器であって、前記ハウス内の冷たい空気が、前記送風機によって前記螺旋状管に送られ、前記螺旋状管内において前記煙突内の排気熱との熱交換によって、より高温な空気となり、この高温な空気が前記高温の空気を搬送するダクトを介して、前記農業用温風ボイラーの空気吸入口より燃焼室に吸入されるように搬送されることによって、より効率的な温風ボイラーの燃焼がおこなわれることを特徴とする農業用温風ボイラーの加温を補助する熱交換器。
【請求項２】
前記送風機は、前記農業用温風ボイラーの吸入口のファンスイッチと連動させることを特徴とする請求項１に記載の農業用温風ボイラーの加温を補助する熱交換器である。
【請求項３】
前記農業用温風ボイラーの加温を補助する熱交換器内の熱伝導媒体として、空気を利用することを特徴とする請求項１、請求項２に記載の農業用温風ボイラーの加温を補助する熱交換器である。
【手続補正２】
【補正対象書類名】明細書
【補正対象項目名】全文
【補正方法】変更
【補正の内容】
【考案の詳細な説明】
【技術分野】
【０００１】この考案は、加温された空気を農業用温風ボイラー内に送りこむことにより、農業用温風ボイラー機内の燃焼温度を、より効率よく向上させる農業用温風ボイラーの加温を補助する熱交換器である。【０００２】従来の農業用温風ボイラーは、化石燃料、木材などの燃焼熱が利用されていて、そこで発生する排気熱は煙突を通って外気に放出されていた。近年、その排ガス熱をオイルや水の熱伝導媒体で回収する方法の農業用温風ボイラーの加温を補助する熱交換器が提案されている。
【参考文献】
登録実用新案第３１５００３４号
【考案が解決しようとする課題】
【０００３】前述の排熱利用の提案には、高額な設備導入費や、水を熱伝導媒体とすることによって生じた管に付着する結露水が燃焼釜に入り込み、釜の低温腐食が発生する心配ある。
【課題を解決する手段】
【０００４】この考案は、煙突内に付設した螺旋状管に空気を送り込むことにより、前述の問題点が解決できる。
【考案を実施するための最良の形態】この考案を図１について説明すると、農業用温風ボイラーの煙突内の螺旋状管（１）に、ハウス内の冷めた空気を送るダクト（３）を接合して、送風機（２）によってハウス内の空気を送り込み、煙突内の排気熱を螺旋状管（１）を介して接触させれば高温な空気が得られる。その高温な空気は、搬送ダクト（４）を通して温度計（５）の付いた吹き出し口（６）に搬送され、農業用温風ボイラーの空気吸入口（７）より燃焼室に吸入される。一般的な農業用温風ボイラーは燃焼が終わっても機内の冷却のため、農業用温風ボイラーの空気吸入口（７）のファンのスイッチは数分間運転状態になっているので、送風機（２）と連動させることで、煙突内の螺旋状管（１）内の残留している高温な空気を抜き取ることができ、高温な空気が農業用温風ボイラーの空気吸入口（７）より燃焼室に吸入されるので、農業用温風ボイラーの燃費が低減され、効率的な農業用温風ボイラーの燃焼が実現でき、その結果、農業用温風ボイラーの吹き出し口（８）よりハウス内へ高温な空気が放出される。
【図面の簡単な説明】
【図１】農業用温風ボイラーに加温を補助する熱交換器を取り付けた断面図
【符号の説明】１．螺旋状管
２．送風機
３．ハウス内の冷めた空気を送るダクト
４．高温の空気を搬送するダクト
５．温度計
６．吹き出し口
７．温風ボイラーの空気吸入口
８．温風ボイラーの吹き出し口